(57)【特許請求の範囲】
【請求項１】
測定器の電気的オン・オフを行うために前記測定器のケースに取付けられた操作プレートであって、開放端とされる一端側とは反対側の他端側に設けられた一対の支軸を介して前記ケース側に対して上下動及び回動可能に支持された操作プレートと、
前記操作プレートの前記支軸の近傍に設けられた、前記操作プレートの上下動及び回動により上下動及び回動される作用部と、
前記測定器の前記ケースに取付けられた基台部であって、該基台部の上部外周部が前記ケースに形成された取付け溝内に密着嵌合された基台部と、前記基台部に対して移動自在に一体に形成され、前記操作プレートの前記作用部により押圧されて前記測定器の電気的オン・オフを行うボタン部であって、前記作用部と接触する上面には前記作用部の回動方向に沿って複数の縦溝が形成されたボタン部とを備えたラバースイッチと、
を有することを特徴とするスイッチ構造。
【請求項２】
前記測定器のケース側に前記操作プレートの前記支軸を受容し、前記支軸の上下動及び回転を可能に支持する溝形状の昇降軸受けを形成したことを特徴とする請求項１に記載のスイッチ構造。
【請求項３】
前記作用部は、前記操作プレートの前記他端側を押下した際に前記ラバースイッチの前記ボタン部を押し下げて前記測定器を電気的にオンとすることを特徴とする請求項１又は２に記載のスイッチ構造。
【請求項４】
前記作用部は、前記支軸の回転中心からの距離が異なるように形成されたカム形状とされ、前記操作プレートの前記開放端側を前記支軸を介して９０°以上開方向に回動させた際に前記作用部が回動して前記ラバースイッチの前記ボタン部を押し下げて前記測定器をオン状態に維持することを特徴とする請求項１又は２に記載のスイッチ構造。
【請求項５】
操作プレートを押したときだけ電圧を発生させる動作と、前記操作プレートの長押しにより継続して電圧を発生させる動作とを可能とするスイッチ構造を有するメジャースイッチを備えた絶縁抵抗計測のための測定器において、
前記メジャースイッチは、前記測定器のケースに取付けられた基台部であって、該基台部の上部外周部が前記ケースに形成された取付け溝内に密着嵌合された基台部と、前記基台部に対して移動自在に一体に形成されボタン部とを備えたラバースイッチを有し、
前記操作プレートは、開放端とされる一端側とは反対側の他端側に設けられた一対の支軸を介して前記測定器のケース側に対して上下動及び回動可能に支持されており、
前記操作プレートの前記支軸の近傍に、上下動及び回動可能な作用部を設け、前記作用部は、前記操作プレートを作動させることにより、前記ラバースイッチの前記ボタン部に作用して、前記ボタン部を押圧し、前記メジャースイッチのオン・オフ動作を行うことができ、前記ボタン部の上面には前記作用部の回動方向に沿って複数の縦溝が形成されていることを特徴とする測定器。
【請求項６】
前記測定器のケース側に前記操作プレートの前記支軸を受容し、前記支軸の上下動及び回転を可能に支持する溝形状の昇降軸受けを形成したことを特徴とする請求項５に記載の測定器。
【請求項７】
前記作用部は、前記操作プレートの前記他端側を押下した際に前記ラバースイッチの前記ボタン部を押し下げて前記メジャースイッチをオン作動状態とすることを特徴とする請求項５又は６に記載の測定器。
【請求項８】
前記作用部は、前記支軸の回転中心からの距離が異なるように形成されたカム形状とされ、前記操作プレートの前記開放端側を前記支軸を介して９０°以上開方向に回動させた際に前記作用部が回動して前記ラバースイッチの前記ボタン部を押し下げて前記メジャースイッチをオン作動状態に維持することを特徴とする請求項５又は６に記載の測定器。
【発明の詳細な説明】
【技術分野】
【０００１】
本発明は、例えば、絶縁抵抗計などの測定器に組み込まれて使用される、特に防塵性を有するスイッチ構造及び斯かるスイッチ構造を備えた測定器に関するものである。
【背景技術】
【０００２】
例えば絶縁抵抗を計測する測定器、即ち、絶縁抵抗計においては、測定時に高圧を発生させるためにメジャースイッチと呼ばれるスイッチが設けられており、メジャースイッチを押すことで電圧が発生し、それにより、測定対象物の抵抗値を測定することが行われている。
【０００３】
絶縁抵抗計のメジャースイッチは、押したときだけ電圧を発生させる動作と、長押しができ継続して電圧を発生させる動作との二通りのスイッチ動作が可能に構成される。絶縁抵抗計にてメジャースイッチが長押しできる構成とされることは、測定値が安定するのを待つ際に、即ち、測定に時間がかかる場合に、極めて有効である。
【０００４】
このような構成とされるメジャースイッチを備えた絶縁抵抗計が、特許文献１に開示されている。特許文献１に記載される絶縁抵抗計のメジャースイッチの構造を、以下に説明する。
【０００５】
本願添付の図５（ａ）、（ｂ）、図６（ａ）、（ｂ）を参照すると、特許文献１に記載されるメジャースイッチのスイッチ構造が図示される。操作プレート３０は、支軸３４を介してケース１Ａの凹部４０に回転可能に支持される。操作プレート３０の支軸３４は、ケース１Ａの内側に固定された支持ボックス７０との間で形成される昇降軸受け４６に支持される。
【０００６】
ケース１Ａと支持ボックス７０との間には介在プレート６０が設置される。介在プレート６０は、その支軸６２が支持ボックス７０とケース１Ａ側との間に形成される軸受け（図示せず）に軸支され、また、介在プレート６０の圧設部６４が操作プレート３０の押圧力を受ける。介在プレート６０は、その支軸６２近傍より延設された前傾弾性腕部６３を備えており、この前傾弾性腕部６３は、操作プレート３０の押圧力に対して反発力を生じさせる。
【０００７】
斯かる構成にて、操作プレート３０が、前傾弾性腕部６３の反発力に抗して図６（ａ）、（ｂ）のように押圧されると、介在プレート３０の圧設部６４がプリント回路板５０に設けたスイッチ５１を閉成する。
【０００８】
図６（ａ）に示すように、介在プレート６０の反発力に抗して、操作プレート３０の支軸側端部３３側に手指を押し付けてこれをＡ方向に押し込むことにより、圧設部６４がプリント回路板５０のスイッチ５１を押し付けることで、電路が閉成されたスイッチオン状態となり、必要な測定作業に入ることができる。
【０００９】
また、このようなスイッチ状態を一定時間持続させたい場合には、図６（ｂ）に示すように、操作プレート３０を支軸３４を回転中心として略９０°以上の開方向（Ｂ方向）に強制的に回動させる。操作プレート３０は、このように強制的回動により、その押圧片部における作用部３６が介在プレート６０のプレート本体部６１を押しつけながら回動移動し、圧設部６４がプリント回路板５０のスイッチ５１を押し付けることで、電路が閉成されたスイッチオン状態を安定的に持続させることができる。
【００１０】
測定が終了した後は、図６（ａ）では、操作プレート３０側から手指を離すことにより、その押圧付勢力が解消され、介在プレート６０が備える一対の前傾弾性腕部６３の反発力により、プレート本体部６１側が水平方向に自動復帰し、その際に圧設部６４もプリント回路板５０のスイッチ５１から自動的に離れるので、電路が開成されたスイッチオフ状態とすることができる。
【００１１】
また、図６（ｂ）に示す状態の下で必要な測定作業が終了すると、略９０°以上の開方向に強制的に回動させてある操作プレート３０を支軸３４を介して元の状態にまで回動復帰させることで、介在プレート６０が備える一対の前傾弾性腕部６３の反発力により、プレート本体部６１側が水平方向に自動復帰し、その際に圧設部６４もプリント回路板５０のスイッチ５１から自動的に離れるので、電路が開成されたスイッチオフ状態とすることができる。
【００１２】
更に、近年、図７（ａ）、（ｂ）に示すように、上記特許文献１に記載したスイッチ構造を改良したメジャースイッチを備えた絶縁抵抗計が商業化されている。
【００１３】
つまり、図７（ａ）、（ｂ）に示すスイッチ構造は、特許文献１に示すスイッチ構造における介在プレート６０の構造において大きく異なっている。
【００１４】
つまり、本例では、操作プレート３０は、支軸３４を介してケース１Ａの凹部４０に支持される。操作プレート３０の支軸３４は、ケース１Ａ側に固定されたケース１Ａ側との間で形成される昇降軸受け４６に支持される。
【００１５】
ケース１Ａと支持ボックス７０との間には押し込みプレート６０が設置される。押し込みプレート６０は、プレート本体６１に設けた支軸６２が支持ボックス７０とケース１Ａ側との間に形成される軸受け（図示せず）に軸支され、また、プレート本体６１の圧設部６４が操作プレート３０の押圧力を受ける。押し込みプレート６０のプレート本体部６１と支持ボックス７０との間に圧縮ばね手段７１が設けられており、この圧縮ばね手段７１は、操作プレート３０の押圧力に対して反発力を生じさせる。
【００１６】
斯かる構成にて、操作プレート３０が、圧縮ばね手段７１の反発力に抗して押圧されると、押し込みプレート６０の圧設部６４がプリント回路板５０に設けたスイッチ５１を閉成する。
【００１７】
本例のスイッチ構造も又、特許文献１のスイッチ構造と同様の動作を行うことができる。
【先行技術文献】
【特許文献】
【００１８】
【特許文献１】特開２０１０−７３３３２号公報
【発明の概要】
【発明が解決しようとする課題】
【００１９】
上記従来のスイッチ構造は、絶縁抵抗計などの測定器に使用して極めて有用であるが、介在プレート（或いは押し込みプレート）６０を可動とするために、プレート６０が設置される支持ボックス７０との間に隙間が存在し、更には、プレート６０が動いた場合（下がった場合）には、圧設部６４が形成されたプレート６０の先端部領域とケース１Ａとの間などに隙間が生じる。そのため、この隙間から粉塵が侵入し、プリント回路板５０に付着することがあり、故障の原因となっていた。
【００２０】
また、上記いずれの構成のスイッチ構造も、操作プレート３０、介在プレート（或いは押し込みプレート）６０、支持ボックス７０、ばね手段６３、７１により構成されており、使用部品が４点と多く、かつ、組立が難しく、時間が掛るといった問題を有していた。
【００２１】
そこで、本発明の目的は、粉塵の侵入を阻止した防塵性に優れたスイッチ構造及び斯かるスイッチ構造を備えた測定器を提供することである。
【００２２】
本発明の他の目的は、組立が容易で、組立に要する時間を短縮することができ、製造コストを大幅に低減することのできる防塵性に優れたスイッチ構造及び斯かるスイッチ構造を備えた測定器を提供することである。
【課題を解決するための手段】
【００２３】
上記目的は本発明に係るスイッチ構造及び測定器にて達成される。要約すれば、第１の本発明によれば、測定器の電気的オン・オフを行うために前記測定器のケースに取付けられた操作プレートであって、開放端とされる一端側とは反対側の他端側に設けられた一対の支軸を介して前記ケース側に対して上下動及び回動可能に支持された操作プレートと、
前記操作プレートの前記支軸の近傍に設けられた、前記操作プレートの上下動及び回動により上下動及び回動される作用部と、
前記測定器の前記ケースに取付けられた基台部であって、該基台部の上部外周部が前記ケースに形成された取付け溝内に密着嵌合された基台部と、前記基台部に対して移動自在に一体に形成され、前記操作プレートの前記作用部により押圧されて前記測定器の電気的オン・オフを行うボタン部であって、前記作用部と接触する上面には前記作用部の回動方向に沿って複数の縦溝が形成されたボタン部とを備えたラバースイッチと、
を有することを特徴とするスイッチ構造が提供される。
【００２４】
第２の本発明によれば、操作プレートを押したときだけ電圧を発生させる動作と、前記操作プレートの長押しにより継続して電圧を発生させる動作とを可能とするスイッチ構造を有するメジャースイッチを備えた絶縁抵抗計測のための測定器において、
前記メジャースイッチは、前記測定器のケースに取付けられた基台部であって、該基台部の上部外周部が前記ケースに形成された取付け溝内に密着嵌合された基台部と、前記基台部に対して移動自在に一体に形成されボタン部とを備えたラバースイッチを有し、
前記操作プレートは、開放端とされる一端側とは反対側の他端側に設けられた一対の支軸を介して前記測定器のケース側に対して上下動及び回動可能に支持されており、
前記操作プレートの前記支軸の近傍に、上下動及び回動可能な作用部を設け、前記作用部は、前記操作プレートを作動させることにより、前記ラバースイッチの前記ボタン部に作用して、前記ボタン部を押圧し、前記メジャースイッチのオン・オフ動作を行うことができ、前記ボタン部の上面には前記作用部の回動方向に沿って複数の縦溝が形成されていることを特徴とする測定器が提供される。
【００２５】
上記第１及び第２の本発明の一実施態様によれば、前記測定器のケース側に前記操作プレートの前記支軸を受容し、前記支軸の上下動及び回転を可能に支持する溝形状の昇降軸受けが形成される。
【００２６】
第１の本発明の他の実施態様によれば、前記作用部は、前記操作プレートの前記他端側を押下した際に前記ラバースイッチの前記ボタン部を押し下げて前記測定器を電気的にオンとするか、又は、前記作用部は、前記支軸の回転中心からの距離が異なるように形成されたカム形状とされ、前記操作プレートの前記開放端側を前記支軸を介して９０°以上開方向に回動させた際に前記作用部が回動して前記ラバースイッチの前記ボタン部を押し下げて前記測定器をオン状態に維持する。
【００２７】
第２の本発明の他の実施態様によれば、前記作用部は、前記操作プレートの前記他端側を押下した際に前記ラバースイッチの前記ボタン部を押し下げて前記メジャースイッチをオン作動状態とするか、又は、前記作用部は、前記支軸の回転中心からの距離が異なるように形成されたカム形状とされ、前記操作プレートの前記開放端側を前記支軸を介して９０°以上開方向に回動させた際に前記作用部が回動して前記ラバースイッチの前記ボタン部を押し下げて前記メジャースイッチをオン作動状態に維持する。
【発明の効果】
【００２８】
本発明によれば、ケースにラバースイッチの基台部が密着嵌合して取り付けられるので、ケースの開口部から侵入する粉塵は、それ以上の装置本体内への侵入が阻止され、防塵性に優れている。また、メジャースイッチを構成する部材は、操作プレートとラバースイッチのみであり、部品点数が少なく、組立が容易で、組立に要する時間を短縮することができ、製造コストを大幅に低減することができる。
【図面の簡単な説明】
【００２９】
【図１】本発明に係るスイッチ構造を備えた測定器の一実施例を示す、略中央部にて切断した分解斜視図である。
【図２】本発明に係るスイッチ構造を備えた測定器の一例を示しており、図２（ａ）はメジャースイッチのスイッチ構造を示す略中央断面図であり、図２（ｂ）は略中央断面を示す斜視図であり、図２（ｃ）はラバースイッチの略中央断面斜視図であり、図２（ｄ）は図２（ａ）の線Ｉ−Ｉに取った断面図である。
【図３】本発明に係るスイッチ構造の動作説明する略中央断面図である。
【図４】本発明に係る測定器の一実施例を示す斜視図である。
【図５】従来のスイッチ構造を示しており、図５（ａ）は断面図であり、図５（ｂ）は介在プレートの斜視図である。
【図６】従来のスイッチ構造の動作を説明する略中央断面図である。
【図７】従来のスイッチ構造を備えた測定器の一例を示しており、図７（ａ）はメジャースイッチのスイッチ構造を示す略中央断面図であり、図７（ｂ）は略中央断面を示す斜視図である。
【発明を実施するための形態】
【００３０】
以下、本発明に係るスイッチ構造及び斯かるスイッチ構造を備えた測定器を図面に則して更に詳しく説明する。
【００３１】
実施例１
本実施例にて、本発明に係るスイッチ構造は、図４に示す絶縁抵抗計測のための測定器（即ち、絶縁抵抗計）１００に適用されるものとして説明する。勿論、本発明を係るスイッチ構造はこれに限定するものではなく、本発明に係るスイッチ構造は、種々の測定器に適用することができる。
【００３２】
（測定器の全体構成）
本実施例にて、絶縁抵抗計とされる測定器１００は、図４に示すように、測定器本体１と、測定器本体１に着脱自在に接続されるテストリード、クリップ２等を備えている。測定器本体１は、電源のＯＮ・ＯＦＦ、測定対象の設定、発生する電圧の設定等を行うための操作部（ローラリスイッチ）３及び測定結果を表示する表示部４などが設けられている。
【００３３】
更に、測定器本体１には、本発明に係るスイッチ構造とされるメジャースイッチ１０が設けられている。メジャースイッチ１０は、ラバースイッチとされるスイッチ本体２０（図１、図２参照）と、スイッチ本体２０をオン・オフするための操作プレート３０を備えている。操作プレート３０は、測定器本体１の上面に配置されている。メジャースイッチ１０は、詳しくは後述するように、操作プレート３０を押したときだけ電圧を発生させる動作と、操作プレート３０の長押しにより継続して電圧を発生させる動作の二通りの動作を行うことができる。
【００３４】
尚、測定器１００は、実際の使用においては、図４に示すように、操作部３、表示部４及び操作プレート３０などが設けられている面が上面となるように設置して使用されるが、場合によっては、必ずしも上面となるように設置して使用されるとは限らない。しかし、説明の便宜上、本願の明細書、特許請求の範囲においては、測定器本体１にて操作プレート等が配置されている面を「上面」、「上側」、或いは、「上方」などと称して説明する。
【００３５】
図１、図２を参照すると、本実施例によると、測定器本体１の外装を構成するハウジングは、一体的に固定された上ケース１Ａ及び下ケース１Ｂを備えており、メジャースイッチ１０の操作プレート３０及びスイッチ本体２０は、上ケース１Ａに取付けられる。また、上ケース１Ａにはその内部に回路板５０が取付けられ、回路板５０には、メジャースイッチ２０のスイッチ本体２３の接点部２４が当接される、導電パターンからなるスイッチ部５１が配置されている。次に、各構成部材について更に詳しく説明する。
【００３６】
（操作プレート）
操作プレート３０は、所定の厚さを有した略矩形状の板部材とされるプレート本体３１を備えている。プレート本体３１の一端側（図１にて左側）３２が開放端とされ、その反対側の他端（図１にて右側）３３には、対称配置にて一対の支軸３４（３４ａ、３４ｂ）が形成される。本実施例にて支軸３４は、プレート本体３１の上面に対して垂直な両側壁面３５（３５ａ、３５ｂ）に形成される。即ち、各支軸３４は、それぞれ、この両側壁面３５に対して垂直に外方へと突出した短軸とされる。また、プレート本体３１の他端３３は、各短軸３４ａ、３４ｂを設けた側壁３５（３５ａ、３５ｂ）の外周に沿って支軸３４の回転中心からの距離が異なるように形成された湾曲形状部３６を有している。この操作プレート３０の他端側湾曲部３６は、詳しくは後述するように、スイッチ本体２０のボタン部２３の上面２３ａに当接して、ボタン部２３を押下するカム作用部として機能する。
【００３７】
（上ケース）
次に、操作プレート３０が設置される測定器本体１の上ケース１Ａについて説明する。
【００３８】
上述のように、本実施例によると、操作プレート３０は、測定器本体１の上ケース１Ａに取付けられている。上ケース１Ａの上面には、本実施例では矩形状とされる操作プレート３０を受容し得る、操作プレート３０の外形状より幾分大きくされた内側形状を有した矩形状の凹所４０が形成されている。
【００３９】
凹所４０は、その側壁を形成するために操作プレート３０を囲包する態様で上ケース上面より操作プレート３０の略厚さ分だけ下方へと湾曲して形成された側壁４１（４１ａ、４１ｂ、４１ｃ）と、凹所４０の底部を形成する底壁４２とにて形成される。凹所４０の、操作プレート３０の一側３２が位置する側は、即ち、凹所４０の図１にて左側の側壁は除去され、開口されている。操作プレート３０の一側３２から他側３３へと延びる両縁部を担持するために、凹所４０の側壁４１ａ、４１ｂと底壁４２との間に段部４３（４３ａ、４３ｂ）が形成される。操作プレート３０の両側縁部が両段部４３の上面に載置され、それにより、操作プレート３０が凹所上面に水平に保持される。
【００４０】
両側縁段部４３（４３ａ、４３ｂ）及び底壁４２は、凹所４０の右側領域において、開口部４４が形成される。なお、両側縁段部４３（４３ａ、４３ｂ）及び底壁４２の開口部側は、開口部４４へと延びる傾斜面４７とされる。この開口部４４及び傾斜面４７の構成により、段部４３（４３ａ、４３ｂ）に載置された操作プレート３０の他端側３３が押下されたとき、この操作プレート３０の他端３３を開口部４４内へと押し込み可能とする。
【００４１】
底壁４２に形成された開口部４４には、開口部４４の周辺に開口部４４より下方へと延在して四角筒状のガイド部材４５が一体に設けられている。この四角筒状ガイド部材４５の内部穴部には、詳しくは後述するが、スイッチ本体２０の四角柱状の外形を有したボタン部２３が上下方向に移動自在に嵌合される。ガイド部材４５は、上ケース１Ａと一体に成形することもできるが、別体として成形された部品を上ケース１Ａに一体的に固定して取付けることも可能である。
【００４２】
上述のように、操作プレート３０の他端側３３を下方へと押下する際に、操作プレート３０の支軸３４（３４ａ、３４ｂ）を下方に移動させると共に、回動をも許容し得るように、上ケース１Ａには、上記開口部４４に隣接して形成された側壁部に上下方向に長く延在した溝形状の昇降軸受け４６（４６ａ、４６ｂ）が形成されている（図１、図２（ｄ）参照）。この昇降軸受け４６（４６ａ、４６ｂ）は、操作プレート３０の支軸３４（３４ａ、３４ｂ）を受容して、該支軸３４（３４ａ、３４ｂ）を上下動及び回動可能に担持する。
【００４３】
（ラバースイッチ）
本実施例では、メジャースイッチ１０のスイッチ本体２０としてラバースイッチが上ケース１Ａの底壁４２に形成された開口部４４に適合して設置される。
【００４４】
本実施例にて、ラバースイッチ２０は、四角筒状体をなす基台部２１と、この基台部２１の内部に配置された四角柱状体とされるボタン部２３とを有し、ボタン部２３は、ゴム製ラバーシートとされる弾性シート２２にて基台部２１に上下動自在に取り付けられている。弾性シート２２は、ボタン部２３を上方へと付勢するように形成されている。ボタン部上面２３ａは硬質の樹脂成形品とされ、後述するように、操作プレート３０を操作することにより、操作プレート３０のカム作用部３６と当接する。更に、操作プレート３０を作動させることにより、弾性シート２２の上方への付勢力に抗してボタン部２３自体を下方に移動させることができる。従って、ボタン部上面２３ａは、操作プレート作用部３６との摩擦抵抗が低い材質にて作製される。また、本実施例では、ボタン部上面２３ａは、摩擦抵抗を低減するために、操作プレート作用部３６の回動方向に沿って複数の縦溝２３ｂが形成された構造とされる。
【００４５】
基台部２１の四角筒状体をなす上部外周部２１ａは、図２（ａ）、（ｂ）に図示するように、上ケース１Ａの下面側に形成した、基台部２１の四角筒状体上部外周部２１ａと相補形状をなす取付け溝４８内に密着嵌合して取付けられる。また、四角柱状体をなすボタン部２３は、上ケース１Ａの底壁４２に連接して形成された開口部４４に一体に形成されている四角筒状体ガイド部材４５内に上下動自在に嵌合される。この時、ボタン部２３の上面２３ａは、凹所４０の上面に水平に載置された操作プレート３０の作用部３６に軽く接触し、操作プレート３０を水平位置となるように、支軸３４（３４ａ、３４ｂ）の周りに、図２にて反時計方向に付勢している。
【００４６】
また、ボタン部２３の下面には、図２（ｄ）に示すように、銅箔などとされる接点部２４が、本実施例では２か所に設けられており、回路板５０の導電パターンから成るスイッチ部５１と対向配置されている。スイッチオフの場合は、図２（ａ）に示すように、接点部２４とスイッチ部５１とは離間している。
【００４７】
上述のように、本発明によれば、開口部４４を取り巻いて上ケース１Ａの下面側に一体に形成された取付け溝４８内にラバースイッチ２０の基台部２１の上部外周部２１ａが密着嵌合して取り付けられるので、例え上ケース１Ａの開口部４４に設けたガイド部材４５とラバースイッチ２０のボタン部２３との間の僅かな隙間から粉塵が測定器内に侵入したとしても、この粉塵は、それ以上の測定器内への侵入が阻止され、防塵性に優れている。
【００４８】
（メジャースイッチの動作態様）
次に、図３（ａ）、（ｂ）を参照して、上記構成とされるスイッチ構造を有したメジャースイッチ１０の動作態様について説明する。
【００４９】
メジャースイッチ１０は、上述したように、操作プレート３０を押したときだけ電圧を発生させる動作と、操作プレート３０の長押しにより継続して電圧を発生させる動作の二通りの動作を行うことができる。
【００５０】
（１）先ず、操作プレート３０を押したときだけ電圧を発生させる場合の動作について説明する。
【００５１】
図３（ａ）に示すように、測定者は、操作プレート３０の後端部３３（図３（ａ）にて右側端部）近傍を矢印Ａで示すように、下方へと押下する。これにより、操作プレート３０の後端部３３は、操作プレート３０の両側面に設けられた支軸３４（３４ａ、３４ｂ）が昇降軸受け４６（４６ａ、４６ｂ）内を下方へと移動する。この操作プレート後端３３を下方（Ａ方向）に押下することにより、操作プレート３０は、段部４３（４３ａ、４３ｂ）を一側より他側へとは矢印Ｂ方向へと移動すると共に、段部４３（４３ａ、４３ｂ）の水平面と前傾斜面４７との交点４９を支点として、矢印Ｃ方向（図３（ａ）にて時計方向）に回転する。更に、操作プレート後端３３を下方（Ａ方向）に押下することにより、ラバースイッチ２０のボタン部上面２３ａに当接していた操作プレート３０のカム作用部３６がボタン部上面２３ａを下方へと押圧する。これにより、ボタン部２３は、開口筒部とされる四角筒状ガイド部材４５内を下方へと押し込まれ、接点部２４が、回路板５０のスイッチ部５１に接触して電路を閉成し、測定器を電気的にオン（スイッチオン）とする。
【００５２】
測定者が操作プレート３０の後端部３３を下方へと押下するのを止め、操作プレート３０から手を離すと、ボタン部２３は、弾性シート２２の付勢力により上方へと移動され、それにより、操作プレートの後端３３は上方へと持ち上げられ、支軸３４（３４ａ、３４ｂ）が昇降軸受け４６（４６ａ、４６ｂ）の下端に到達することにより、操作プレート３０は、矢印Ｃ方向とは逆方向に回転し、水平位置（図２（ａ）、（ｂ）の状態）へと戻される。
【００５３】
ボタン部２３が開口筒部４５内を上方へと移動することにより、接点部２４が、回路板５０のスイッチ部５１から離れ、電路を開成し、測定器を電気的にオフ（スイッチオフ）とする。
【００５４】
（２）次に、操作プレート３０の長押しにより継続して電圧を発生させる場合の動作について説明する。
【００５５】
図３（ｂ）に示すように、測定者は、操作プレート３０の先端部３２（図３（ｂ）にて左側端部）を持って、ラバースイッチ２０の付勢力に抗して操作プレート３０を開方向へと、即ち、図３（ｂ）にて矢印Ｄ方向（時計方向）に回転させる。これにより、操作プレート３０は、その支軸３４（３４ａ、３４ｂ）が昇降軸受け４６（４６ａ、４６ｂ）の上端に位置して、この支軸３４（３４ａ、３４ｂ）を回転中心Ｏとして回転する。従って、ラバースイッチ２０のボタン部上面２３ａに当接していた操作プレート３０のカム作用部３６が回転し、ボタン部上面２３ａを下方へと押圧する。
【００５６】
カム作用部３６とボタン部上面２３ａとの当接位置は、操作プレート３０の回転初期において、図３（ａ）に示す支軸３４（３４ａ、３４ｂ）の回転中心Ｏの位置から右側にずれた位置（＋△Ｅ）の当接位置Ｐから、操作プレート３０を９０°以上回転させることにより、カム作用部３６とボタン部上面２３ａとの当接位置Ｐは、図３（ｂ）に示す支軸の回転中心位置或いはこの位置から左側にずれた位置（−△Ｅ）へと移動する。これにより、測定者は、操作プレート３０から手を離しても、操作プレート３０がラバースイッチの付勢力により矢印Ｄとは逆方向に、即ち、反時計方向へと逆回転することはない。即ち、メジャースイッチ２０はオン作動状態に維持される。
【００５７】
つまり、この状態にて、ボタン部２３は、開口筒部４５内を下方へと押し込まれ、接点部２４が、回路板５０のスイッチ部５１に接触して電路を閉成（スイッチオン）する。そして、上述のように、作用部３６がラバースイッチ２０のボタン部２３を押し下げてスイッチオン状態を維持する。
【００５８】
測定者が操作プレート３０を、矢印Ｄとは逆方向に、即ち、反時計方向へと逆回転することにより、上記事項（１）で説明したと同じように、ボタン部２３は、開口筒部４５内を上方へと移動し、接点部２４が、回路板５０のスイッチ部５１から離れ、電路を開成（スイッチオフ）する。
【００５９】
以上説明したように、本発明によれば、上ケースにラバースイッチの基台部が密着嵌合して取り付けられるので、上ケースの開口部から侵入する粉塵は、それ以上の装置本体内への侵入が阻止され、防塵性に優れている。また、メジャースイッチを構成する部材は、操作プレートと、ラバースイッチのみであり、部品点数が少なく、また、組立作業は、ラバースイッチを上ケースの取付け溝を利用して密着嵌合して取付けるだけでよく、組立が容易で、組立に要する時間を短縮することができ、製造コストを大幅に低減することができる。
【符号の説明】
【００６０】
１（１Ａ、１Ｂ）        ハウジング（上ケース、下ケース）
１０                    メジャースイッチ
２０                    スイッチ本体（ラバースイッチ）
２１                    基台部
２２                    弾性シート
２３                    ボタン部
２３ａ                  ボタン部上面
２４                    接点部
３０                    操作プレート
３１                    プレート本体
３２                    一端側（開放端）
３３                    他端側
３４（３４ａ、３４ｂ）  支軸
３６                    作用部
４０                    上ケース凹所
４２                    底壁
４４                    開口部
４５                    ガイド部材
４６（４６ａ、４６ｂ）  昇降軸受け
４７                    段部及び底壁傾斜面
４８                    取付け溝
５０                    回路板
５１                    スイッチ部
１００                  測定器本体
【図１】
0006009823.tif 000002
【図２】
0006009823.tif 000003
【図３】
0006009823.tif 000004
【図４】
0006009823.tif 000005
【図５】
0006009823.tif 000006
【図６】
0006009823.tif 000007
【図７】
0006009823.tif 000008